(57)【要約】【要  約】【課  題】塗り薬や貼り薬などの薬剤を背中に１人で塗ったり貼ったりする薬剤処置具は、背中の中央部まで薬剤を届かせるために長い柄が必要になるが、柄の部分と薬剤を保持する薬剤保持体が一体のためそれぞれ専用になり、柄の部分がじゃまになって置く場所をとり、また、それぞれの薬剤処置具を用意する必要から探す手間がかかったり、用途に応じて複数の薬剤処置具を揃えると価格が高くなるなどの問題があった。  【解決手段】薬剤保持体の一部に着脱自在の柄を設けて薬剤保持体の付け替えを容易にしたことを特徴とし、薬剤保持体の基枠の内部に掛止突起部を有する挿入穴を設けると共に、挿入穴に挿入する柄の一端部の側部に掛止突起部に掛止可能な掛止切欠部と、一端部の平面部長手方向にすり割りを設けた薬剤処置具である。【選択図】図１
2010005233.tif 000002
【特許請求の範囲】
【請求項１】
塗り薬や貼り薬等の薬剤を人体に１人ででも塗布や貼り付け可能とする薬剤処置具であって、薬剤保持体の一部に着脱自在の柄を設けて前記薬剤保持体の付け替えを容易にしたことを特徴とする薬剤処置具。 
【請求項２】
前記薬剤保持体の基枠の外面に、内部に掛止突起部を有する挿入穴を設けると共に、前記挿入穴に挿入する前記柄の一端部の側部に、前記掛止突起部に掛止可能な掛止切欠部と、一端部の平面部長手方向にすり割りを設けたことを特徴とする請求項１記載の薬剤処置具。
【請求項３】
前記基枠が角体であって、その垂直面と水平面に前記挿入穴が設けられると共に、前記垂直面に対向する垂直面にはＶ字型の切欠溝を有する一対の支持片と、前記一対の支持片の背後には薬剤容器又は薬剤塗布具を固定可能な固定帯の端部が設けられたことを特徴とする請求項１又は２記載の薬剤処置具。
【請求項４】
前記薬剤塗布具の先端部が平坦で外周が面取りされた棒状体であることを特徴とする請求項１〜３のいずれか１項に記載の薬剤処置具。
【請求項５】
前記棒状体の先端部を被覆材で覆い、前記被覆材を止め環で固定したことを特徴とする請求項４記載の薬剤処置具。
【請求項６】
前記棒状体の先端部に閉塞管状のキャップを被せたことを特徴とする請求項４又は５記載の薬剤処置具。
【請求項７】
前記薬剤保持体の前記基枠が長方形の板状体であって、その長手方向の両側面に設けた保持板の前方内部に、回転軸を介してローラーを回動自在に設け、前記ローラーの外周接線延長上に上板を傾斜させて設け、前記基枠の後方下部に前記柄の挿入穴と、前記保持板の後方下部に支点軸を介して分割式の固定片を開閉自在に設けたことを特徴とする請求項１又は２記載の薬剤処置具。
【発明の詳細な説明】
【技術分野】
【０００１】
この発明は、塗り薬や貼り薬などの薬剤を１人で背中に塗ったり貼ったりする薬剤処置具に関するものである。      
【背景技術】
【０００２】
従来から、塗り薬や貼り薬などの薬剤を１人で背中に塗ったり貼ったりするために、長い柄の先に塗り薬の容器を保持する保持枠を備えた塗り具（例えば特許文献１、特許文献２参照。）や、柄の先に軟膏を塗り移す軟膏ぬり体を備えた軟膏塗り具（例えば特許文献３参照。）や、柄の先に湿布を装着する保持枠を備えた湿布貼付具（例えば特許文献４参照。）がある。
【０００３】
【特許文献１】特開２００７−２６８２３４号公報
【特許文献２】特開平９−２２５０３８号公報
【特許文献３】特開２００５−１７７０５７号公報
【特許文献４】特開２００１−２９９９３３号公報
【発明の開示】
【発明が解決しようとする課題】
【０００４】
塗り薬や貼り薬などの薬剤を背中に１人で塗ったり貼ったりする薬剤処置具は、背中の中央部まで薬剤を届かせるために長い柄が必要になるが、以上に述べた特許文献１と特許文献２の塗り具は、塗り薬の容器を保持する薬剤保持体から容器は容易に着脱できるものの、特許文献１から特許文献４のいずれの薬剤処置具も、柄の部分と薬剤保持体は一体で着脱できず、柄の部分がじゃまになって置く場所をとり、また、それぞれ専用の薬剤処置具を用意する必要から探す手間がかかったり、用途に応じて複数の薬剤処置具を揃えると価格が高くなるなどの問題があった。
【０００５】
本発明は、このような従来の技術が有していた問題を解決しようとするものであり、薬剤保持体と柄を分離し、柄を共通にして着脱自在にすると共に、容器の形状が異なる塗り薬や軟膏にも共通の薬剤保持体で対応でき、汎用性があり置く場所をとらない薬剤処置具を実現することを目的とするものである。  
【課題を解決するための手段】
【０００６】
本発明は、塗り薬や貼り薬等の薬剤を人体に１人ででも塗布や貼り付け可能とする薬剤処置具であって、塗り薬などの薬剤が入った容器、或いは軟膏などの薬剤を塗り移す薬剤塗布具、或いは湿布などの薬剤そのものを保持する薬剤保持体の一部に、着脱自在の柄を設けて薬剤保持体の付け替えを容易にしたことを特徴とする薬剤処置具である。 
【０００７】
ここで薬剤保持体には、その骨格を形成する基枠の外面に、内部に掛止突起部を有する挿入穴を設け、挿入穴に挿入する柄には、その一端部の側部に掛止突起部に掛止可能な掛止切欠部と、一端部の平面部長手方向にすり割りを設け、すり割りの幅が狭まる方向に押し戻しさせることにより、基枠の掛止突起部と柄の掛止切欠部が掛止或いは掛止解除されるようにして、基枠に柄を着脱自在に取り付けている。
【０００８】
そして、塗り薬用の薬剤保持体は、その骨格を形成する基枠が角体であって、その垂直面と水平面に挿入穴を設けると共に、垂直面に対向する垂直面にはＶ字型の切欠溝を有する一対の支持片を設け、一対の支持片の背後には薬剤容器又は薬剤塗布具を固定可能にする固定帯の端部を設けている。
【０００９】
なお、本発明で言う角体とは、四角形や直角三角形をした角体や、角片を組み合わせた角体で、本実施例では角片をＬ字型に組み合わせた角体で説明する。
【００１０】
また、一対の支持片の背後とは、支持片が設けられている垂直面より後方をさし、角体の両側面も含まれる。
【００１１】
以上のような構造にすることにより、Ｖ字型切欠溝に筒型或いはＬ字型の薬剤容器を固定帯で固定し、垂直面に設けた挿入穴に柄を挿入して筒型の薬剤容器に対応し、水平面に設けた挿入穴に柄を挿入してＬ字型の薬剤容器に対応している。
【００１２】
また、柄の後端部の厚さを薄くしてほぼ直角に曲げてヘラ状或いは孫の手状にすると、柄を取外して孫の手として使用したり、貼った湿布をはがすのにも使用できて便利である。
【００１３】
さらに、薬剤が軟膏の場合は軟膏が入った容器を薬剤保持体に直接保持して塗ることができないので、薬剤保持体のＶ字型溝に固定して用いる軟膏塗布用の薬剤塗布具を用意して、薬剤塗布具に軟膏を塗り付け、薬剤塗布具を介して背中に塗ることもできる。
【００１４】
この薬剤塗布具は、先端部が平坦で外周が面取りされた棒状体で、平坦面に軟膏を塗り付けて背中に移し塗るもので、先端部が肌に触れたときに肌触りがいいように、先端部を被覆材で覆って止め環で止めてもよく、被覆材を二重にして遮断材を介して覆ってもよい。
【００１５】
また、先端部の近傍に鍔を設けると、止め環を挿入するときのストッパーの役割をすると共に、Ｖ字型溝に取り付けるときのガイドにもなり、さらに、薬剤塗布具を薬剤保持具に取り付けて肩叩きとしても使用できるが、そのときは鍔がストッパーにもなる。
【００１６】
さらに、薬剤処置具を保管時に、薬剤塗布具の先端部が汚れたり、他のものに触れないように先端部に閉塞管状のキャップを被せてもよく、キャップの材質をゴムやスポンジなどの弾性材にして先端部を球面にすると、肩叩きとして使用したときにクッション材になる。
【００１７】
また、薬剤が湿布などの貼り薬の場合は、湿布を保持する貼り薬用の薬剤保持体を別に準備して共通の柄を取り付けて湿布を貼り付ける。
【００１８】
この貼り薬用の薬剤保持体は、その骨格を形成する基枠が長方形の板状体であって、その長手方向の両側面に設けた保持板の前方内部に、回転軸を介してローラーを回動自在に設け、ローラーの外周接線延長上に上板を傾斜させて設け、基枠の後方下部に柄の挿入穴と、保持板の後方下部に支点軸を介して分割式の固定片を開閉自在に設けている。
【発明の効果】
【００１９】
上述したように本発明の薬剤処置具は、薬剤が塗り薬でも貼り薬でも柄が共通であり、薬剤保持体と柄が分離できるので保管時に場所をとらず、また、塗り薬の容器が筒型やＬ字型さらには薬剤が軟膏でも共通の薬剤保持体で対応できるので、それぞれの薬剤処置具を探す手間もかからず、価格も割安になる。
【００２０】
また、柄が分離できることにより柄を孫の手としても使用でき、製品にしたときにパッケージも小さくなり、輸送コストも削減できる。
【００２１】
さらに、薬剤保持体に棒状体の薬剤塗布具を取り付けて、そのまま、或いはその先端部にキャップを被せて肩叩き具としても使用できるなどの効果がある。
【発明を実施するための最良の形態】
【００２２】
以下、本発明の最良の実施の形態を、実施例に基づき図面を参照して説明する。
【実施例１】
【００２３】
本発明の第１実施例として筒型容器（図９）或いはＬ字型容器(図１１)に入った塗り薬に対応した場合を図１〜図１２を参照して説明する。
【００２４】
図１〜図５において、符号１は筒型或いはＬ字型の容器に入った塗り薬を保持する薬剤保持体で、Ｌ字型をした角体の横枠と縦枠で構成された基枠２で骨格を成し、基枠２の横枠の端面部に薬剤保持体１を支持する柄３を挿入する断面が長方形をした挿入穴４を縦枠に向かって設け、図１と図３に示すように、挿入穴４の奥方向の短辺内面に、一面が短辺内面に対し垂直で他面が挿入口に向かって傾斜して突起した掛止突起部５を形成する。
【００２５】
柄３は図６、図７に示すように、断面が薬剤保持体１の挿入穴４と合致する長方形の長尺で、平面部（長辺側）を背中に沿うように弓なりに曲げ、一端部の平面部の長手方向に幅が掛止突起部５の突起の高さより広いすり割り６を設け、一端部の側部（短辺側）に挿入穴４の掛止突起部５に掛合する、一面が一端部の側部面に垂直で他面が他端部に向かって傾斜して切欠かれた掛止切欠部７が設けられている。
【００２６】
すり割り６を設けることにより、柄３の一端部の側部を押すとすり割り６の幅が狭まり、離すと戻るので、柄３を挿入穴４に挿入すると掛止突起部５に掛止切欠部７が掛合し、垂直面同士が当たって柄が抜けることが無く、柄３の一端部の側部を押すことによりすり割り６の幅が狭まるので、掛止突起部５と掛止切欠部７との掛合が外れて柄３が抜き取れるようになる。
【００２７】
また、他端部の肉厚を次第に薄くしながら弓なりに曲がった方向へほぼ直角に曲げ、ヘラ状或いは孫の手状の引掻き部８（図７）を形成する。
【００２８】
柄３の他端部を上記のようにヘラ状或いは孫の手状にすることにより、柄３を単独で孫の手としても使用でき、また、後述する実施例３の、貼り薬用の薬剤保持体を用いて貼り付けた湿布を剥がすのに使用する。
【００２９】
また、柄３の材質は掛止突起部５と掛止切欠部７を確実に掛合させるために、弾性がある樹脂あるいは竹或いは硬い木が適当で、基枠２の材質は樹脂でも木でもよいが、木でつくると温かみがあり、調度品として室内に置くのに適した健康器具になる。
【００３０】
そして、Ｖ字型に切り欠かれたＶ字型溝９を有する一対の支持片１０を縦壁の表面に設け、縦枠の裏面に薬剤容器又は薬剤塗布具を固定可能な材質がゴム等の弾性体でできた固定帯１１の一端部を取り付ける。
【００３１】
固定帯１１は一端部の表面に面状ファスナー１２を貼り付け、他端部の裏面に面状ファスナー１２に面着する被面状ファスナー１３を取り付ける。
【００３２】
そして、図８、図９に示すように、Ｖ字型溝９の部分に筒型容器１４を取り付け、筒型容器１４を囲むように固定帯１１を回して他端部の被面状ファスナー１３を一端部の面状ファスナー１２に面着させて固定し、柄３を挿入穴４に挿入して図１０に示すように柄３の後部を持って薬剤保持体１を背中の方へ回し塗り付ける。
【００３３】
また、Ｌ字型容器１５の場合は、図１１に示すように、容器の本体に対して薬剤の吐出口が直角方向に向いているので、それに対応するために挿入穴４とは別の挿入穴１６を設ける。
【００３４】
挿入穴１６は基枠２の縦枠の上面部に、断面形状が挿入穴４と同形状で横枠に向かって設けられ、挿入穴１６の奥方向の短辺内面に、柄３の掛止切欠部７に掛合する、一面が内面に対し垂直で他面が挿入口に向かって傾斜して突起した掛止突起部１７が形成されている。
【００３５】
Ｌ字型容器１５の薬剤を塗るときは図１１に示すように、薬剤保持体１のＶ字型溝９にＬ字型容器１５を固定帯１１で固定し、柄３を挿入穴１６に挿入して図１２に示すように、柄３の後部を持って薬剤保持体１を背中の方へ回し塗り付ける。
【実施例２】
【００３６】
以上の薬剤は容器に入った塗り薬を直接塗る場合を対象としたもので、次に、第２の実施例として軟膏など容器から指で取り出して塗るような場合について図１３〜図２０を参照して説明する。
【００３７】
軟膏の場合などは直接容器を薬剤保持体１に装着して塗ることができないので図１３〜図１６に示すように、筒型容器１４と同様に筒状の薬剤塗布具１８を薬剤保持体１に取り付けて薬剤塗布具１８を介して移し塗ることになる。
【００３８】
薬剤塗布具１８は、軟膏を表面に塗り付ける外周が平坦で滑らかに面取りされた先端部１９と、その近傍に鍔２０を設けた棒状体２１で形成されている。
【００３９】
また、図示されてはいないが、鍔２０を設けずに先端部１９の直径に対し後方を小さくした段付きの棒状体２１でもよいし、ストレート形状の棒状体２１にして、Ｖ字型溝９で受ける部分が入り込むように棒状体２１の前後に溝を掘り込んでもよい。
【００４０】
棒状体２１の材質は樹脂でも木でもよいが、木の場合は先端部１９に付着した塗り残しの軟膏を拭き取りづらいので、先端部１９の表面に樹脂などのコーティング剤を塗布してもよい。
【００４１】
また、先端部１９が肌に触れたときに肌触りがいいように先端部１９を被覆材で覆うといいが、図１４に示すように、円形をした布状の布状物２２で覆って断面が円形或いは四角形の止め環２３で固定してもよもよく、これにより、特に棒状体２１が樹脂の場合は先端部１９が直接肌に触れると冷たく感じるのでそれを防ぐ効果もある。
【００４２】
ここで、鍔２０は止め環２３を挿入するときに入り過ぎないようにストッパーの役割をすると共に、Ｖ字型溝９に取り付けるときのガイドにもなり、さらに、薬剤塗布具１８を肩叩きとして使用するときのストッパーにもなる。
【００４３】
さらに、布状物２２から染み出た軟膏が棒状体２１の先端部１９に付着するのを防ぐために、図１５に示すように、布状物２２と先端部１９の間に布状物２２と同じ円形をした布状の遮断材２４を挟んでもよい。
【００４４】
布状物２２の材質は、肌触りがよく軟膏が付着しやすい布であれば織布でも不織布でもよく、遮断材２４はビニールのような不透性のある材料が適しているが、被覆材２２の裏面に不透性のある材料を塗布或いは貼り付けてもよく、そうすると遮断材２４は不要になる。
【００４５】
また、保管中に先端部１９に汚れが付着しないように、図１７に示すように、先端部１９に閉塞管状のキャップ２５を被せてもよく、図１８に示すように先端部１９に被覆材を被せたときは、被覆材の上からキャップ２５を被せてもよい。
【００４６】
キャップ２５の材質は樹脂或いは木でもよいが、ゴムやスポンジなどの弾性体にすると、肩叩きとして使用したときのクッション材にもなり、図１８に示すように、キャップ２５の先端部を球面にするとさらにクッション性がよくなる。
【００４７】
この薬剤塗布具１８を使用するときは図１９に示すように、前記筒型容器１４と同様に薬剤保持体１のＶ字型溝９に薬剤塗布具１８を固定帯１１で固定し、柄３を挿入穴４に挿入した状態で先端部１９に軟膏を塗り付け、図２０に示すように、柄３の後部を持って薬剤保持体１を背中の方へ回し移し塗る。
【実施例３】
【００４８】
次は、第３の実施例として湿布のような貼り薬の場合を図２１〜図２６で説明する。
【００４９】
湿布のような貼り薬の場合は、薬剤の形状が全く異なるので、図２１、図２２に示すように、貼り薬用の薬剤保持体２６を使用するが、薬剤保持体２６を支持する柄３は共通である。
【００５０】
薬剤保持体２６は、その骨格を形成する基枠２７が長方形の板状体で、その長手方向の両側面に設けた保持板２８の前方内部に、回転軸２９を介してローラー３０を回動自在に設け、ローラー３０の外周接線延長上に上板３１を傾斜させて設け、保持板２８の後方下部に支点軸３２を介して分割式の固定片３３が左右に並べて開閉自在に取付けられている。
【００５１】
そして、図２３に示すように、基枠２７の後方下部に断面形状が挿入穴４と同形状の挿入穴３４を設け、挿入穴３４の奥方向の短辺内面に柄３の掛止切欠部７に掛合する、一面が短辺内面に対し垂直で他面が挿入口に向かって傾斜して突起した掛止突起部３５を形成する。
【００５２】
この薬剤保持体２６を使用するときは図２４、図２５に示すように、柄３を挿入穴３４に挿入し、床３６或いは台上に置いて固定片３３を開き、あらかじめ剥離フィルムを剥した湿布３７を、粘着面を上向きにしてローラー３０の上部と上板３１の面上に載せ、湿布３７の上端部の方を上板３１の上面との間に挟み込む様にして固定片３３を閉じると、湿布３７の粘着面に固定片３３の裏面が粘着し、湿布３７が薬剤保持体２６に固定される。
【００５３】
ここで、固定片３３を閉じるときは図２４に示すように、湿布をつまんだ指を両方同時に離せないので、右側の指を離したら右側の固定片３３を閉じ、左側の指を離したら左側の固定片３３を閉じるようにする。
【００５４】
そして、図２６に示すように、柄３の後部を持って薬剤保持体２６を背中の方へ回し、ローラー３０を背中に押し付けると、湿布３７が背中に貼り付く。次に、柄３を上方へ引き上げると固定片３３から湿布３７が引き剥がされ、さらに、柄３を下方に持って行き、ローラー３０を転がし背中の凹凸に倣わせて湿布３７の全面を密着させる。
【００５５】
また、使用済みの湿布３７を剥がすときは、薬剤保持体２６から柄３を取外してすり割り６がある方の一端部を持ち、引掻き部８を背中に押し当てて湿布３７の接着面に潜り込ませながら押し下げて剥ぎ取る。      
【図面の簡単な説明】
【００５６】
【図１】塗り薬の薬剤保持体に柄を取り付けた薬剤処置具の一部切欠平面図
【図２】塗り薬の薬剤保持体に柄を取り付けた薬剤処置具の側断面図
【図３】塗り薬の薬剤保持体の一部切欠平面図
【図４】塗り薬の薬剤保持体の側断面図
【図５】塗り薬の薬剤保持体の一部切欠正面図
【図６】柄の平面図
【図７】柄の側断面図
【図８】筒型容器を装着した柄が付いた塗り薬の薬剤保持体の一部切欠平面図
【図９】筒型容器を装着した柄が付いた塗り薬の薬剤保持体の側断面図
【図１０】柄が付いた塗り薬の薬剤保持体に筒型塗り薬を装着して塗っているところ
【図１１】Ｌ型容器を装着した柄が付いた塗り薬の薬剤保持体の側断面図
【図１２】柄が付いた塗り薬の薬剤保持体にＬ字型塗り薬を装着して塗っているとこ        ろ
【図１３】軟膏を塗る薬剤塗布具の側面図
【図１４】先端部に布状物を被せた薬剤塗布具の一部切欠側面図
【図１５】先端部に布状物と遮断材を被せた薬剤塗布具の一部切欠側面
【図１６】薬剤塗布具の布状物と遮断材の平面図
【図１７】先端部にキャップを被せた薬剤塗布具の一部切欠側面図
【図１８】被覆材を被せた薬剤塗布具の先端部に、先端部が球面のキャップを被せた薬剤塗布具の一部切欠側面図
【図１９】軟膏を塗る薬剤塗布具を装着した柄が付いた塗り薬の薬剤保持体の側断面図
【図２０】柄が付いた塗り薬の薬剤保持体に薬剤塗布具を装着して軟膏を塗っているところ
【図２１】貼り薬の薬剤保持体に柄を取り付けた薬剤処置具の平面図
【図２２】貼り薬の薬剤保持体に柄を取り付けた薬剤処置具の側断面図
【図２３】柄が付いた貼り薬の薬剤保持体のＡ−Ａ断面図
【図２４】柄が付いた貼り薬の薬剤保持体を床上に置き、ローラーの上部と上板の面上に湿布を載せ、右側の固定版を閉じた状態の平面図
【図２５】柄が付いた貼り薬の薬剤保持体に湿布を床上で装着した状態の側断面図
【図２６】柄が付いた貼り薬の薬剤保持体に湿布を装着して背中に湿布を貼っているところ
【符号の説明】
【００５７】
１、２６  薬剤保持体
２、２７  基枠
３  柄
４、１６、３４  挿入穴
５、１７、３５  掛止突起部
６  すり割り
７  掛止切欠部
８  引掻き部
９  Ｖ字型溝
１０  支持片
１１  固定帯
１２  面状ファスナー
１３  被面状ファスナー
１４  筒型容器
１５  Ｌ字型容器
１８  薬剤塗布具
１９  先端部
２０  鍔
２１  棒状体
２２  布状物
２３  止め環
２４  遮断材
２５  キャップ
２８  保持板
３９  回転軸
３０  ローラー  
３１  上板
３２  支点軸
３３  固定片
３６  床  
３７  湿布    
【図１】
2010005233.tif 000003
【図２】
2010005233.tif 000004
【図３】
2010005233.tif 000005
【図４】
2010005233.tif 000006
【図５】
2010005233.tif 000007
【図６】
2010005233.tif 000008
【図７】
2010005233.tif 000009
【図８】
2010005233.tif 000010
【図９】
2010005233.tif 000011
【図１０】
2010005233.tif 000012
【図１１】
2010005233.tif 000013
【図１２】
2010005233.tif 000014
【図１３】
2010005233.tif 000015
【図１４】
2010005233.tif 000016
【図１５】
2010005233.tif 000017
【図１６】
2010005233.tif 000018
【図１７】
2010005233.tif 000019
【図１８】
2010005233.tif 000020
【図１９】
2010005233.tif 000021
【図２０】
2010005233.tif 000022
【図２１】
2010005233.tif 000023
【図２２】
2010005233.tif 000024
【図２３】
2010005233.tif 000025
【図２４】
2010005233.tif 000026
【図２５】
2010005233.tif 000027
【図２６】
2010005233.tif 000028